(57)【要約】      （修正有）【課題】細長眼鏡レンズに溝を刻設する場合でも、ガイドローラの機能が損われず、確実に溝の刻設が可能となる眼鏡レンズの溝堀機を提供する。【解決手段】本体部と、該本体部に傾動可能に支持され、水平方向に移動自在なチャックヘッド１と、該チャックヘッドに設けられ、回転可能にレンズを支持するチャック回転機構２，３と、前記本体部に設けられたガイドユニットと、眼鏡レンズ４の周端面に溝２６を刻設するカッタ６とを具備し、前記ガイドユニットは、前記眼鏡レンズの周端面が前記カッタに当接した状態で、水平方向から前記眼鏡レンズの両面に転動自在に当接し、該眼鏡レンズの周端面に対する前記カッタの位置を設定する左右一対のガイドローラ１０を有し、該ガイドローラは、レンズから離れるに従ってレンズ周端面から離反する方向に傾斜された。【選択図】図５
2010284756.tif 000002
【特許請求の範囲】
【請求項１】
本体部と、該本体部に傾動可能に支持され、水平方向に移動自在なチャックヘッドと、該チャックヘッドに設けられ、回転可能にレンズを支持するチャック回転機構と、前記本体部に設けられたガイドユニットと、眼鏡レンズの周端面に溝を刻設するカッタとを具備し、前記ガイドユニットは、前記眼鏡レンズの周端面が前記カッタに当接した状態で、水平方向から前記眼鏡レンズの両面に転動自在に当接し、該眼鏡レンズの周端面に対する前記カッタの位置を設定する左右一対のガイドローラを有し、該ガイドローラは、レンズから離れるに従ってレンズ周端面から離反する方向に傾斜されたことを特徴とする眼鏡レンズの溝堀機。
【請求項２】
ユニット基板は半球ドーム状のカッタカバーを有し、前記カッタの周縁部が前記カッタカバーより突出する様配置された請求項１の眼鏡レンズの溝堀機。
【請求項３】
前記ユニット基板は傾動可能に支持されると共に傾斜調整手段を有し、該傾斜調整手段により前記ユニット基板の傾斜を変更し、前記カッタの突出量を調整可能とした請求項２の眼鏡レンズの溝堀機。
【請求項４】
前記ガイドローラを回転自在に支持し、水平方向に回転可能に設けられた一対のアームと、該アームと一体に回転する半円リンク板と、少なくとも１つの結合ピンとを更に有し、該結合ピンは左右の半円リンク板に掛渡って係合可能であると共に左右の前記アーム個別に係合可能であり、前記結合ピンを左右の半円リンク板に掛渡って係合させると、左右の前記アームは対称的に回転し、前記結合ピンを何れか一方のアームに係合させると、係合されたアームが固定され、他方のアームが回転可能となる請求項１の眼鏡レンズの溝堀機。
【発明の詳細な説明】
【技術分野】
【０００１】
本発明は、眼鏡レンズをワイヤフレームに装着する際に必要な、レンズ周端面にワイヤが嵌まる溝を刻設する眼鏡レンズの溝堀機に関するものである。
【背景技術】
【０００２】
眼鏡フレームも種々のタイプがあり、その１つにレンズに合成樹脂製のワイヤを掛回して眼鏡フレームに固定するワイヤフレームタイプがある。斯かる眼鏡フレームに眼鏡レンズを装着するには、眼鏡レンズの周端面にワイヤが嵌まる溝を刻設する必要がある。
【０００３】
斯かる溝を刻設するものとして眼鏡レンズの溝堀機が使用される。
【０００４】
該眼鏡レンズの溝堀機は、レンズを挾持し、周方向に回転するチャック回転機構と、レンズ周端面に溝を刻設する円板状のカッタと、該カッタの溝刻設位置がレンズの板厚中心、或は表面、裏面の何れかに倣う様に前記カッタをガイドするガイドローラを具備している。
【０００５】
近年の傾向として、左右に長く、天地の寸法が小さい、細長のレンズが好んで用いられており、細長のレンズに溝を刻設する場合、以下に示す問題点が指摘されている。
【０００６】
先ず、図６〜図８により、眼鏡レンズの溝堀機の概略について説明する。
【０００７】
１はチャック回転機構を有するチャックヘッドであり、２はレンズ回転軸、３はレンズチャックを示している。前記チャックヘッド１は水平方向に移動自在となっている。
【０００８】
又、４は眼鏡レンズ、５，５′は前記眼鏡レンズ４を左右から挾持して回転するガイドローラ、６はカッタ軸７を中心に回転するカッタ、８はカッタカバーを示している。
【０００９】
例えば、前記ガイドローラ５を水平方向に拘束し、前記ガイドローラ５′を水平方向に変位可能に支持すると、該ガイドローラ５′が前記眼鏡レンズ４の厚みの変化に対応して水平方向に変位する。従って、前記眼鏡レンズ４の表面（凸面：図６中、右側面）の水平方向の位置は変化しないので、溝はレンズ表面に倣った状態で刻設される。又、前記ガイドローラ５，５′を左右対称に変位する様に支持すると、溝はレンズ周端面の中央に刻設される。
【００１０】
上記した様に、近年の傾向として、左右に細長いレンズが好まれる様になり、細長いレンズに溝を刻設する状態を図７に示している。
【００１１】
細長い眼鏡レンズ４に溝を刻設する場合、前記眼鏡レンズ４の状態では、前記カッタ６とレンズ回転中心とを結ぶライン（以下研削中心線９と称す）と前記カッタ６と前記眼鏡レンズ４とが接触する位置が前記研削中心線９からａだけずれる。又、接触位置がａだけずれることで、前記眼鏡レンズ４が前記カッタ６から離反し、前記眼鏡レンズ４が前記カッタ６から離反することで、前記ガイドローラ５と前記眼鏡レンズ４とが接触する位置が前記研削中心線９に対してｂだけずれることになる。
【００１２】
図８は前記眼鏡レンズ４と前記ガイドローラ５の接触状態を示す模式図であり、前記眼鏡レンズ４と前記ガイドローラ５の接触位置がｂだけずれると、前記ガイドローラ５が前記眼鏡レンズ４の表面より裏面に向ってｅだけ噛込んだ状態となる。
【００１３】
図８中、前記眼鏡レンズ４は平面として示しているが、実際は眼鏡レンズ４′の様に湾曲しており、前記ガイドローラ５は更に眼鏡レンズ４′の表面から裏面に噛込むことになる。
【００１４】
この為、前記眼鏡レンズ４，４′を回転させた場合、該眼鏡レンズ４，４′が前記ガイドローラ５の上面に乗上げる現象を引起し、該ガイドローラ５が前記眼鏡レンズ４から外れ、該ガイドローラ５がガイドとしての機能を失い溝の研削ができなくなる場合がある。
【発明の概要】
【発明が解決しようとする課題】
【００１５】
本発明は斯かる実情に鑑み、細長眼鏡レンズに溝を刻設する場合でも、ガイドローラの機能が損われず、確実に溝の刻設が可能となる眼鏡レンズの溝堀機を提供するものである。
【課題を解決するための手段】
【００１６】
本発明は、本体部と、該本体部に傾動可能に支持され、水平方向に移動自在なチャックヘッドと、該チャックヘッドに設けられ、回転可能にレンズを支持するチャック回転機構と、前記本体部に設けられたガイドユニットと、眼鏡レンズの周端面に溝を刻設するカッタとを具備し、前記ガイドユニットは、前記眼鏡レンズの周端面が前記カッタに当接した状態で、水平方向から前記眼鏡レンズの両面に転動自在に当接し、該眼鏡レンズの周端面に対する前記カッタの位置を設定する左右一対のガイドローラを有し、該ガイドローラは、レンズから離れるに従ってレンズ周端面から離反する方向に傾斜された眼鏡レンズの溝堀機に係るものである。
【００１７】
又本発明は、ユニット基板は半球ドーム状のカッタカバーを有し、前記カッタの周縁部が前記カッタカバーより突出する様配置された眼鏡レンズの溝堀機に係り、又前記ユニット基板は傾動可能に支持されると共に傾斜調整手段を有し、該傾斜調整手段により前記ユニット基板の傾斜を変更し、前記カッタの突出量を調整可能とした眼鏡レンズの溝堀機に係り、更に又前記ガイドローラを回転自在に支持し、水平方向に回転可能に設けられた一対のアームと、該アームと一体に回転する半円リンク板と、少なくとも１つの結合ピンとを更に有し、該結合ピンは左右の半円リンク板に掛渡って係合可能であると共に左右の前記アーム個別に係合可能であり、前記結合ピンを左右の半円リンク板に掛渡って係合させると、左右の前記アームは対称的に回転し、前記結合ピンを何れか一方のアームに係合させると、係合されたアームが固定され、他方のアームが回転可能となる眼鏡レンズの溝堀機に係るものである。
【発明の効果】
【００１８】
本発明によれば、本体部と、該本体部に傾動可能に支持され、水平方向に移動自在なチャックヘッドと、該チャックヘッドに設けられ、回転可能にレンズを支持するチャック回転機構と、前記本体部に設けられたガイドユニットと、眼鏡レンズの周端面に溝を刻設するカッタとを具備し、前記ガイドユニットは、前記眼鏡レンズの周端面が前記カッタに当接した状態で、水平方向から前記眼鏡レンズの両面に転動自在に当接し、該眼鏡レンズの周端面に対する前記カッタの位置を設定する左右一対のガイドローラを有し、該ガイドローラは、レンズから離れるに従ってレンズ周端面から離反する方向に傾斜されたので、確実に眼鏡レンズ周端面に溝を刻設することができ、又前記細長レンズの周端面に溝を刻設する際にも、レンズがガイドローラに乗上げることがなくなり、細長レンズに対する溝加工が可能となる。更に、チャック等レンズ支持機構部とガイドローラとの干渉が避けられるので、レンズ径が小さい部位でもチャックし直すことなく溝加工が可能であり、溝加工の作業効率が向上する。
【００１９】
又本発明によれば、ユニット基板は半球ドーム状のカッタカバーを有し、前記カッタの周縁部が前記カッタカバーより突出する様配置されたので、溝の深さがカッタの突出量で規制され、深さが均一な溝加工が可能である。
【００２０】
又本発明によれば、前記ユニット基板は傾動可能に支持されると共に傾斜調整手段を有し、該傾斜調整手段により前記ユニット基板の傾斜を変更し、前記カッタの突出量を調整可能としたので、所望の溝深さが簡単に加工できる。
【００２１】
又本発明によれば、前記ガイドローラを回転自在に支持し、水平方向に回転可能に設けられた一対のアームと、該アームと一体に回転する半円リンク板と、少なくとも１つの結合ピンとを更に有し、該結合ピンは左右の半円リンク板に掛渡って係合可能であると共に左右の前記アーム個別に係合可能であり、前記結合ピンを左右の半円リンク板に掛渡って係合させると、左右の前記アームは対称的に回転し、前記結合ピンを何れか一方のアームに係合させると、係合されたアームが固定され、他方のアームが回転可能となるので、眼鏡レンズの板厚中心、レンズ外面又はレンズ内面に倣った溝かを簡単に選択できる等の優れた効果を発揮する。
【図面の簡単な説明】
【００２２】
【図１】本発明が実施される眼鏡レンズの溝堀機の側面図である。
【図２】同前眼鏡レンズの溝堀機の平面図である。
【図３】該眼鏡レンズの溝堀機に用いられるユニット基板の平面図である。
【図４】該ユニット基板の側面図である。
【図５】図２のＡ−Ａ矢視図である。
【図６】従来の眼鏡レンズの溝堀機に於ける図２のＡ−Ａ矢視相当図である。
【図７】細長レンズとカッタとガイドローラとの関係を示す説明図である。
【図８】細長レンズとガイドローラとガイドローラの噛込み量の関係を示す説明図である。
【発明を実施するための形態】
【００２３】
以下、図面を参照しつつ本発明の実施例を説明する。
【００２４】
図１〜図５に於いて本発明が実施される眼鏡レンズの溝堀機の一例を説明する。
【００２５】
尚、図６中で示したものと同等のものには同符号を付し、その詳細については説明を省略する。
【００２６】
本体部１１にチャックヘッド１がヘッド回転軸１２を介して回転自在に設けられると共に前記チャックヘッド１は前記ヘッド回転軸１２を介して水平変位自在に支持されている。前記ヘッド回転軸１２の先端にはレンズチャック３，３が設けられ、該レンズチャック３，３間に眼鏡レンズ４を挾持すると共に該眼鏡レンズ４はレンズ回転軸２を中心に回転自在となっている。前記レンズ回転軸２、前記レンズチャック３等はチャック回転機構を構成する。又、前記レンズ回転軸２は図示しないレンズ回転モータにより回転される。
【００２７】
前記本体部１１には前記ヘッド回転軸１２と平行にガイドユニット支持軸１３が設けられ、該ガイドユニット支持軸１３を介してガイドユニット１４が起伏自在に設けられている。
【００２８】
前記本体部１１の前記ガイドユニット１４の下方には、凹部１５が形成され、該凹部１５に突出する様にカッタ軸７が設けられ、該カッタ軸７の先端にカッタ６が固着されている。前記カッタ軸７は、前記本体部１１の内部に設けられたカッタ駆動モータ（図示せず）によって回転される様になっている。尚、前記カッタ軸７は前記カッタ６が眼鏡レンズ４の周端面に対して略垂直となる様に水平に対して傾斜している。
【００２９】
次に、前記ガイドユニット１４について説明する。
【００３０】
前記ガイドユニット支持軸１３を中心に起伏自在にユニット基板１７が設けられ、該ユニット基板１７に一対のアーム１８が軸１９を介して設けられ、水平方向に回転可能となっている。前記アーム１８の先端部にはローラ支持部材２０が中間ピン２１を介して回転可能に設けられ、前記ローラ支持部材２０には前記ガイドローラ１０が回転自在に設けられている。
【００３１】
又、前記ローラ支持部材２０はローラ位置調整螺子２２により、前記アーム１８に対して回転変位する様になっている。従って、前記アーム１８を回転させれば、前記アーム１８と前記ローラ支持部材２０、前記ガイドローラ１０が一体に回転し、前記ローラ位置調整螺子２２を回転させれば、前記ローラ支持部材２０が前記アーム１８に対して相対回転し、前記ガイドローラ１０の水平位置が変位する。
【００３２】
前記一対のアーム１８，１８にはそれぞれ半円リンク板２３，２３が一体に設けられ、又各半円リンク板２３には欠切部２４が設けられ、２つの欠切部２４，２４の位置が合致した状態で前記欠切部２４，２４が形成する凹部に結合ピン２５が嵌脱可能となっている。該結合ピン２５を前記凹部に嵌合することで、前記アーム１８，１８は、同期して又対称的な回転をする様になっている。
【００３３】
又、前記結合ピン２５を外せば、前記アーム１８，１８は独立して自在に回転可能であり、前記結合ピン２５は前記ユニット基板１７の裏面側から前記アーム１８に係着し、前記アーム１８それぞれを固定可能である。前記結合ピン２５により前記アーム１８の一方を係着した場合は、他方のアーム１８は回転自在となる。尚、前記アーム１８に個々に係合させるピンは、前記結合ピン２５と別のピンであってもよい。
【００３４】
従って、前記結合ピン２５を前記欠切部２４，２４に嵌合させれば、前記ガイドローラ１０，１０は対称的な動きをし、該ガイドローラ１０，１０間の中心は前記カッタ６と一致する。即ち、溝２６は眼鏡レンズ４の周端面の板厚中心に刻設される。又、前記アーム１８の何れか一方を固定した場合は、固定された側のガイドローラ１０が固定位置で眼鏡レンズ４の表面を転動するので、溝２６は固定されたガイドローラ１０に当接する面に倣った位置に刻設される。
【００３５】
前記ガイドローラ１０の下側にカッタカバー８が設けられ、前記ユニット基板１７に固着されている。該カッタカバー８は半球ドーム形状をしており、前記カッタ６を覆い、該カッタ６の周縁部のみが前記カッタカバー８から露出する様になっている。
【００３６】
図中、２７はロックレバーであり、該ロックレバー２７は前記ガイドローラ１０，１０が平板状態で、前記アーム１８，１８をロックできる様になっている。又、図中、２８は前記ユニット基板１７の傾斜を変化させる為の傾斜調整手段としてのレベル調整摘みであり、該レベル調整摘み２８を調整することで、該レベル調整摘み２８の高さが変化し、前記ユニット基板１７が傾動して前記ガイドローラ１０の高さ位置が変位し、更に前記カッタ６の前記カッタカバー８からの突出量、即ち前記カッタ６の切込み深さ（溝２６の深さ）が変化する様になっている。
【００３７】
又、２９は前記眼鏡レンズ４を前記レンズチャック３にチャックさせる為のレンズチャッキング摘みである。
【００３８】
次に、前記ガイドローラ１０について図５、図８を参照して説明する。
【００３９】
本実施例に於けるガイドローラ１０の直径は従来のガイドローラ５の直径に対して大きくなっている（図８参照）。
【００４０】
前記ガイドローラ１０の直径を大きくすることで、前記ガイドローラ１０の噛込み量ｅ′が従来の噛込み量ｅより小さくなる。従って、前記ガイドローラ１０の直径を大きくすることで、前記眼鏡レンズ４が前記ガイドローラ１０の上面に乗上げ難くなる。尚、前記ガイドローラ１０の直径は、従来のガイドローラ５の直径に比して、１．５倍〜２．５倍程度となっている。
【００４１】
更に、本実施例では、図５に見られる様に、前記ガイドローラ１０を眼鏡レンズ４から離反するに従って下がる様に傾斜させている。傾斜角度としては、水平に対して５゜〜２０゜程度が好ましい。
【００４２】
傾斜させることで、前記ガイドローラ１０の上面がレンズ表面から遠ざかるに従ってレンズ周端面から離反する様になり、前記ガイドローラ１０の噛込みがあっても、前記眼鏡レンズ４が該ガイドローラ１０の上面から浮いた状態となり、前記眼鏡レンズ４が前記ガイドローラ１０の上面に乗上げることが防止される。
【００４３】
又、細長レンズをチャックした場合、レンズ短径部位でレンズチャック３の外周面から眼鏡レンズ４の周端面迄の距離が著しく小さくなる（図７参照）。
【００４４】
前記ガイドローラ１０を傾斜させることで、前記ガイドローラ１０、前記ローラ支持部材２０とチャックヘッド１或はレンズチャック３との干渉が避けられ、細長レンズの短径部位でも前記ガイドローラ１０がガイド機能を失わない。
【００４５】
尚、従来では、レンズチャック３、ガイドローラ５、ローラ支持部材とガイドローラ５との干渉があり、レンズを複数回チャックし直す作業を必要としており、本実施例では、一度のチャックで全周の溝２６の刻設が可能となり、作業性効率が向上する。
【００４６】
又、特に図示していないが、前記本体部１１の前面には、操作パネルが設けられ、該操作パネルには各種操作ＳＷ、例えばレンズ回転ＳＷ、カッタＳＷが設けられている。
【００４７】
以下、前記眼鏡レンズ４の周端面に溝２６を刻設する作業について説明する。
【００４８】
前記チャックヘッド１が持上げられた状態で、前記レンズチャック３，３に眼鏡レンズ４を挾持する。この場合、チャックの位置は該眼鏡レンズ４の略中心とする。
【００４９】
前記ガイドローラ１０，１０を開いた状態として、前記チャックヘッド１を下げ、前記眼鏡レンズ４を前記カッタ６に当接させ、前記ガイドローラ１０で前記眼鏡レンズ４を挾持する。尚、前記ガイドローラ１０の位置の微調整は、前記ローラ位置調整螺子２２によって行う。
【００５０】
尚、溝２６の刻設位置をレンズ周端面の中央にするか、表裏いずれの面に倣わせるかは、前記結合ピン２５の係合位置により予め設定しておく。又、溝２６の深さは、前記カッタ６の前記カッタカバー８からの突出量で設定する。
【００５１】
レンズ回転ＳＷ（図示せず）をＯＮして前記眼鏡レンズ４を回転させ、カッタＳＷ（図示せず）をＯＮして前記カッタ６を回転させる。前記眼鏡レンズ４が１回転することで、レンズ周端面全周に溝２６が刻設される。
【００５２】
上記した様に、前記ガイドローラ１０、前記ローラ支持部材２０とチャックヘッド１或はレンズチャック３との干渉が避けられるので、細長レンズであっても、一度のチャックでレンズ周端面全周に溝２６を刻設できる。
【符号の説明】
【００５３】
１              チャックヘッド
２              レンズ回転軸
３              レンズチャック
４              眼鏡レンズ
６              カッタ
８              カッタカバー
９              研削中心線
１０            ガイドローラ
１１            本体部
１２            ヘッド回転軸
１３            ガイドユニット支持軸
１４            ガイドユニット
１８            アーム
１９            軸
２０            ローラ支持部材
２２            ローラ位置調整螺子
２３            半円リンク板
２５            結合ピン
２９            レンズチャッキング摘み
【図１】
2010284756.tif 000003
【図２】
2010284756.tif 000004
【図３】
2010284756.tif 000005
【図４】
2010284756.tif 000006
【図５】
2010284756.tif 000007
【図６】
2010284756.tif 000008
【図７】
2010284756.tif 000009
【図８】
2010284756.tif 000010